【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
モバイルデバイスによって動作可能な方法であって、
少なくとも１つのセルラーキャリアとワイヤレスローカルエリアネットワーク（ＷＬＡＮ）キャリアとを備える複数のコンポーネントキャリアをアグリゲートするための構成を受信すること、ここで、前記アグリゲーションは、インターネットプロトコル（ＩＰ）レイヤの下の前記モバイルデバイスの所与のプロトコルレイヤにおいて実行される、と、
前記所与のプロトコルレイヤにおいて、前記少なくとも１つのセルラーキャリアと前記ＷＬＡＮキャリアとに関してアップリンクトラフィックのマッピングを決定することと、
前記マッピングに少なくとも部分的に基づいてアップリンク送信を送ることと、を備える、方法。
【請求項２】
前記マッピングがトラフィックフロー識別子に基づき、前記所与のプロトコルレイヤがメディアアクセス制御（ＭＡＣ）プロトコルレイヤを備えるとき、前記トラフィックフロー識別子は、論理チャネル識別子（ＬＣＩＤ）を備え、前記方法は、
前記アップリンク送信のためのデータに関連する前記ＬＣＩＤを決定することと、
前記マッピングに基づいて、前記ＬＣＩＤに関連する１つまたは複数のトラフィック制限を決定することと、
前記１つまたは複数のトラフィック制限に従って前記複数のコンポーネントキャリアからキャリアを選択することと、
前記選択されたキャリア上で前記アップリンク送信において前記データを送ることとをさらに備え、
または、
前記所与のプロトコルレイヤが前記ＭＡＣプロトコルレイヤの上のプロトコルレイヤを備えるとき、前記トラフィックフロー識別子は、ベアラ識別子を備え、前記方法は、
前記アップリンク送信のためのデータに関連する前記ベアラ識別子を決定することと、
前記マッピングに基づいて、前記ベアラ識別子に関連する１つまたは複数のトラフィック制限を決定することと、
前記１つまたは複数のトラフィック制限に従って前記複数のコンポーネントキャリアからキャリアを選択することと、
前記選択されたキャリア上で前記アップリンク送信において前記データを送ることとをさらに備える、請求項１に記載の方法。
【請求項３】
前記モバイルデバイスによって受信されるダウンリンクトラフィックに基づいて前記複数のコンポーネントキャリアの各々とのトラフィックタイプの関連付けを決定することをさらに備え、
アップリンクトラフィックの前記マッピングが、前記ダウンリンクトラフィックに基づいて決定されたトラフィックタイプの前記関連付けをミラーリングする、請求項１に記載の方法。
【請求項４】
第１のトラフィックタイプが前記少なくとも１つのセルラーキャリアに関連付けられ、第２のトラフィックタイプが前記ＷＬＡＮキャリアに関連付けられ、前記所与のレイヤはメディアアクセス制御（ＭＡＣ）プロトコルレイヤを備え、前記マッピングを決定することは、前記関連付けと前記アップリンクトラフィックのタイプとに基づいて前記ＭＡＣプロトコルレイヤでキャリア選択を実行することを備える、請求項１に記載の方法。
【請求項５】
アップリンク送信のためのデータの利用可能性を決定することと、
前記マッピングに基づいて、前記データを送るための前記複数のコンポーネントキャリア中のキャリアを決定することと、
前記データが前記ＷＬＡＮキャリアにマッピングすると決定したことに応答して、アップリンク許可なしに前記アップリンク送信において前記データを送ることとをさらに備える、請求項１に記載の方法。
【請求項６】
前記アップリンク送信を送ることが、前記メディアアクセス制御（ＭＡＣ）レイヤにおいて、前記複数のコンポーネントキャリアのうちの所与の１つを選択することと、前記マッピングに少なくとも部分的に基づいて前記アップリンクトラフィックを各キャリア上に多重化することとをさらに備え、前記マッピングはサービス品質（ＱｏＳ）情報に少なくとも部分的に基づき、前記選択することと前記多重化することとのうちの少なくとも１つは前記ＱｏＳ情報に少なくとも部分的に基づく、請求項１に記載の方法。
【請求項７】
前記複数のコンポーネントキャリア中の少なくとも１つのキャリアの非アクティブ化に応答して、前記マッピングを適用するのを中止することをさらに備える、請求項１に記載の方法。
【請求項８】
前記複数のコンポーネントキャリアをアグリゲートするための前記構成に関連して、前記ＷＬＡＮキャリアのために前記ＩＰレイヤの上の動的ホスト構成プロトコル（ＤＨＣＰ）を無効にすることをさらに備える、請求項１に記載の方法。
【請求項９】
少なくとも１つのネットワークエンティティに前記モバイルデバイスのセルラーＷＬＡＮキャリアアグリゲーション能力をシグナリングすることをさらに備える、請求項１に記載の方法。
【請求項１０】
ＷＬＡＮアクセスポイント（ＡＰ）からビーコンまたはプローブ応答を受信することをさらに備え、前記ビーコンまたはプローブ応答が、前記ＷＬＡＮ  ＡＰによるセルラーＷＬＡＮキャリアアグリゲーションのサポートを広告する、請求項１に記載の方法。
【請求項１１】
前記マッピングを決定することは、どのベアラがどのキャリア上で送られるかを示す動的シグナリングをネットワークエンティティから受信することを備え、前記シグナリングは、複数の論理チャネル識別子（ＬＣＩＤ）中の各ＬＣＩＤについて、対応するアップリンクトラフィックために前記複数のコンポーネントキャリア中のどのキャリアを使用すべきかを示し、前記指示はベアラごとおよび方向ごとであり、所与のＬＣＩＤは、ダウンリンクトラフィックのために前記ＷＬＡＮキャリアにマッピングし、前記アップリンクトラフィックのために前記少なくとも１つのセルラーキャリアにマッピングする、請求項１に記載の方法。
【請求項１２】
前記マッピングが静的ポリシーを備える、請求項１に記載の方法。
【請求項１３】
装置であって、
少なくとも１つのセルラーキャリアとワイヤレスローカルエリアネットワーク（ＷＬＡＮ）キャリアとを備える複数のコンポーネントキャリアをアグリゲートするための構成を受信するための手段、ここで、前記アグリゲーションは、インターネットプロトコル（ＩＰ）レイヤの下の前記装置の所与のプロトコルレイヤにおいて実行される、と、
前記所与のプロトコルレイヤにおいて、前記少なくとも１つのセルラーキャリアと前記ＷＬＡＮキャリアとに関してアップリンクトラフィックのマッピングを決定するための手段と、
前記マッピングに少なくとも部分的に基づいてアップリンク送信を送るための手段と、を備える、装置。
【請求項１４】
前記マッピングがトラフィックフロー識別子に基づき、前記所与のプロトコルレイヤがメディアアクセス制御（ＭＡＣ）プロトコルレイヤを備えるとき、前記トラフィックフロー識別子は、論理チャネル識別子（ＬＣＩＤ）を備え、前記装置は、
前記アップリンク送信のためのデータに関連する前記ＬＣＩＤを決定するための手段と、
前記マッピングに基づいて、前記ＬＣＩＤに関連する１つまたは複数のトラフィック制限を決定するための手段と、
前記１つまたは複数のトラフィック制限に従って前記複数のコンポーネントキャリアからキャリアを選択するための手段と、
前記選択されたキャリア上で前記アップリンク送信において前記データを送るための手段と、をさらに備え、
または、
前記所与のプロトコルレイヤが前記ＭＡＣプロトコルレイヤの上のプロトコルレイヤを備えるとき、前記トラフィックフロー識別子は、ベアラ識別子を備え、前記装置は、
前記アップリンク送信のためのデータに関連する前記ベアラ識別子を決定するための手段と、
前記マッピングに基づいて、前記ベアラ識別子に関連する１つまたは複数のトラフィック制限を決定するための手段と、
前記１つまたは複数のトラフィック制限に従って前記複数のコンポーネントキャリアからキャリアを選択するための手段と、
前記選択されたキャリア上で前記アップリンク送信において前記データを送るための手段と、をさらに備える、請求項１３に記載の装置。
【請求項１５】
前記モバイルデバイスによって受信されるダウンリンクトラフィックに基づいて前記複数のコンポーネントキャリアの各々とのトラフィックタイプの関連付けを決定するための手段をさらに備え、
アップリンクトラフィックの前記マッピングが、前記ダウンリンクトラフィックに基づいて決定されたトラフィックタイプの前記関連付けをミラーリングする、請求項１３に記載の装置。
【請求項１６】
第１のトラフィックタイプが前記少なくとも１つのセルラーキャリアに関連付けられ、第２のトラフィックタイプが前記ＷＬＡＮキャリアに関連付けられ、前記所与のレイヤがメディアアクセス制御（ＭＡＣ）プロトコルレイヤを備え、前記マッピングを決定することは、前記関連付けと前記アップリンクトラフィックのタイプとに基づいて前記ＭＡＣプロトコルレイヤでキャリア選択を実行することを備える、請求項１３に記載の装置。
【請求項１７】
アップリンク送信のためのデータの利用可能性を決定するための手段と、
前記マッピングに基づいて、前記データを送るための前記複数のコンポーネントキャリア中のキャリアを決定するための手段と、
前記データが前記ＷＬＡＮキャリアにマッピングすると決定したことに応答して、アップリンク許可なしに前記アップリンク送信において前記データを送るための手段とをさらに備える、請求項１３に記載の装置。
【請求項１８】
前記メディアアクセス制御（ＭＡＣ）レイヤにおいて前記複数のコンポーネントキャリアのうちの所与の１つを選択するための手段と、前記マッピングに少なくとも部分的に基づいて前記アップリンクトラフィックを各キャリア上に多重化するための手段とをさらに備え、前記マッピングはサービス品質（ＱｏＳ）情報に少なくとも部分的に基づき、選択するための前記手段と多重化するための前記手段とのうちの少なくとも１つは前記ＱｏＳ情報に少なくとも部分的に基づく、請求項１３に記載の装置。
【請求項１９】
前記複数のコンポーネントキャリア中の少なくとも１つのキャリアの非アクティブ化に応答して、前記マッピングを適用するのを中止するための手段をさらに備える、請求項１３に記載の装置。
【請求項２０】
どのベアラがどのキャリア上で送られるかを示す動的シグナリングをネットワークエンティティから受信するための手段をさらに備え、前記シグナリングは、複数の論理チャネル識別子（ＬＣＩＤ）中の各ＬＣＩＤについて、対応するアップリンクトラフィックために前記複数のコンポーネントキャリア中のどのキャリアを使用すべきかを示し、前記指示はベアラごとおよび方向ごとであり、所与のＬＣＩＤは、ダウンリンクトラフィックのために前記ＷＬＡＮキャリアにマッピングし、前記アップリンクトラフィックのために前記少なくとも１つのセルラーキャリアにマッピングする、請求項１３に記載の装置。
【請求項２１】
請求項１乃至１２のいずれか１項に記載の方法のステップをすべて実装するようにコンピュータ実行可能なプログラム命令を備える、コンピュータプログラム。
【手続補正２】
【補正対象書類名】明細書
【補正対象項目名】０１１５
【補正方法】変更
【補正の内容】
【０１１５】
[00126]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
モバイルデバイスによって動作可能な方法であって、
少なくとも１つのセルラーキャリアとワイヤレスローカルエリアネットワーク（ＷＬＡＮ）キャリアとを備える複数のコンポーネントキャリアをアグリゲートするための構成を受信すること、ここで、前記アグリゲーションは、インターネットプロトコル（ＩＰ）レイヤの下の前記モバイルデバイスの所与のプロトコルレイヤにおいて実行される、と、
前記所与のプロトコルレイヤにおいて、前記少なくとも１つのセルラーキャリアと前記ＷＬＡＮキャリアとに関してアップリンクトラフィックのマッピングを決定することと、
前記マッピングに少なくとも部分的に基づいてアップリンク送信を送ることと、を備える、方法。
［Ｃ２］
前記マッピングがトラフィックフロー識別子に基づく、Ｃ１に記載の方法。
［Ｃ３］
前記トラフィックフロー識別子は、
前記所与のプロトコルレイヤがメディアアクセス制御（ＭＡＣ）プロトコルレイヤを備えるとき、論理チャネル識別子（ＬＣＩＤ）を、または、
前記所与のプロトコルレイヤが前記ＭＡＣプロトコルレイヤの上のプロトコルレイヤを備えるとき、ベアラ識別子を、備える、Ｃ２に記載の方法。
［Ｃ４］
前記アップリンク送信のためのデータに関連する前記ＬＣＩＤを決定することと、
前記マッピングに基づいて、前記ＬＣＩＤに関連する１つまたは複数のトラフィック制限を決定することと、
前記１つまたは複数のトラフィック制限に従って前記複数のコンポーネントキャリアからキャリアを選択することと、
前記選択されたキャリア上で前記アップリンク送信において前記データを送ることとをさらに備える、Ｃ３に記載の方法。
［Ｃ５］
前記アップリンク送信のためのデータに関連する前記ベアラ識別子を決定することと、
前記マッピングに基づいて、前記ベアラ識別子に関連する１つまたは複数のトラフィック制限を決定することと、
前記１つまたは複数のトラフィック制限に従って前記複数のコンポーネントキャリアからキャリアを選択することと、
前記選択されたキャリア上で前記アップリンク送信において前記データを送ることとをさらに備える、Ｃ３に記載の方法。
［Ｃ６］
前記モバイルデバイスによって受信されるダウンリンクトラフィックに基づいて前記複数のコンポーネントキャリアの各々とのトラフィックタイプの関連付けを決定することをさらに備え、
アップリンクトラフィックの前記マッピングが、前記ダウンリンクトラフィックに基づいて決定されたトラフィックタイプの前記関連付けをミラーリングする、Ｃ１に記載の方法。
［Ｃ７］
第１のトラフィックタイプが前記少なくとも１つのセルラーキャリアに関連付けられ、第２のトラフィックタイプが前記ＷＬＡＮキャリアに関連付けられる、Ｃ１に記載の方法。
［Ｃ８］
前記所与のレイヤがメディアアクセス制御（ＭＡＣ）プロトコルレイヤを備え、前記マッピングを決定することが、前記関連付けと前記アップリンクトラフィックのタイプとに基づいて前記ＭＡＣプロトコルレイヤでキャリア選択を実行することを備える、Ｃ７に記載の方法。
［Ｃ９］
前記複数のコンポーネントキャリア中の第１のセルラーキャリア上のアップリンクリソースの割振りを示すアップリンク許可を受信することと、
前記マッピングに基づいて前記第１のセルラーキャリア上の前記アップリンク送信のためのデータを識別することと、
前記アップリンク許可に従って前記第１のセルラーキャリア上で前記データを送ることとをさらに備える、Ｃ１に記載の方法。
［Ｃ１０］
アップリンク送信のためのデータの利用可能性を決定することと、
前記マッピングに基づいて、前記データを送るための前記複数のコンポーネントキャリア中のキャリアを決定することと、
前記データが前記ＷＬＡＮキャリアにマッピングすると決定したことに応答して、アップリンク許可なしに前記アップリンク送信において前記データを送ることとをさらに備える、Ｃ１に記載の方法。
［Ｃ１１］
前記マッピングが、前記ＷＬＡＮキャリア上での送信からアップリンクトラフィックの所定のタイプを除外する、Ｃ１に記載の方法。
［Ｃ１２］
前記アップリンク送信を送ることが、前記メディアアクセス制御（ＭＡＣ）レイヤにおいて、前記複数のコンポーネントキャリアのうちの所与の１つを選択することと、前記マッピングに少なくとも部分的に基づいて前記アップリンクトラフィックを各キャリア上に多重化することとをさらに備える、Ｃ１に記載の方法。
［Ｃ１３］
前記マッピングがサービス品質（ＱｏＳ）情報に少なくとも部分的に基づき、前記選択することと前記多重化することとのうちの少なくとも１つが前記ＱｏＳ情報に少なくとも部分的に基づく、Ｃ１２に記載の方法。
［Ｃ１４］
前記アグリゲーションが前記メディアアクセス制御（ＭＡＣ）レイヤにおいて実行され、前記方法が、
前記マッピングに基づいてＭＡＣプロトコルデータユニット（ＰＤＵ）を形成することと、
アップリンク許可またはＭＡＣ  ＰＤＵサイズに基づいて前記ＭＡＣ  ＰＤＵを送ることとをさらに備える、Ｃ１に記載の方法。
［Ｃ１５］
前記マッピングは、前記アップリンクトラフィックが前記少なくとも１つのセルラーキャリアまたは前記ＷＬＡＮキャリアのいずれかを使用し得ることを示す、Ｃ１に記載の方法。
［Ｃ１６］
前記アグリゲーションが前記メディアアクセス制御（ＭＡＣ）レイヤで実行され、前記方法が、
無線リンク制御（ＲＬＣ）レイヤにおいてプロトコルデータユニット（ＰＤＵ）を形成することと、
前記少なくとも１つのセルラーキャリアまたは前記ＷＬＡＮキャリアを介して前記ＰＤＵをトランスポートすることとをさらに備える、Ｃ１５に記載の方法。
［Ｃ１７］
前記複数のコンポーネントキャリア中の少なくとも１つのキャリアの非アクティブ化に応答して、前記マッピングを適用するのを中止することをさらに備える、Ｃ１に記載の方法。
［Ｃ１８］
前記複数のコンポーネントキャリアをアグリゲートするための前記構成に関連して、前記ＷＬＡＮキャリアのために前記ＩＰレイヤの上の動的ホスト構成プロトコル（ＤＨＣＰ）を無効にすることをさらに備える、Ｃ１に記載の方法。
［Ｃ１９］
前記モバイルデバイスのセルラー無線モジュールのためのＩＰアドレスを決定することと、前記モバイルデバイスのＷＬＡＮ無線モジュールに前記ＩＰアドレスを割り当てることとをさらに備える、Ｃ１８に記載の方法。
［Ｃ２０］
少なくとも１つのネットワークエンティティに前記モバイルデバイスのセルラーＷＬＡＮキャリアアグリゲーション能力をシグナリングすることをさらに備える、Ｃ１に記載の方法。
［Ｃ２１］
ＷＬＡＮアクセスポイント（ＡＰ）からビーコンまたはプローブ応答を受信することをさらに備え、前記ビーコンまたはプローブ応答が、前記ＷＬＡＮ  ＡＰによるセルラーＷＬＡＮキャリアアグリゲーションのサポートを広告する、Ｃ１に記載の方法。
［Ｃ２２］
セルラー基地局からセキュリティ証明を取得することと、前記セキュリティ証明をＷＬＡＮアクセスポイント（ＡＰ）に与えることとをさらに備える、Ｃ１に記載の方法。
［Ｃ２３］
前記マッピングを決定することは、どのベアラがどのキャリア上で送られるかを示す動的シグナリングをネットワークエンティティから受信することを備える、Ｃ１に記載の方法。
［Ｃ２４］
前記シグナリングが、複数の論理チャネル識別子（ＬＣＩＤ）中の各ＬＣＩＤについて、対応するアップリンクトラフィックために前記複数のコンポーネントキャリア中のどのキャリアを使用すべきかを示す、Ｃ２３に記載の方法。
［Ｃ２５］
前記指示がベアラごとおよび方向ごとである、Ｃ２４に記載の方法。
［Ｃ２６］
所与のＬＣＩＤが、ダウンリンクトラフィックのために前記ＷＬＡＮキャリアにマッピングし、前記アップリンクトラフィックのために前記少なくとも１つのセルラーキャリアにマッピングする、Ｃ２５に記載の方法。
［Ｃ２７］
前記シグナリングは、パケットサイズしきい値と、デフォルトキャリアと、前記パケットサイズが前記しきい値を超えることに応答してどのキャリアを使用すべきかとを示す、Ｃ２３に記載の方法。
［Ｃ２８］
前記シグナリングは、各論理チャネル識別子（ＬＣＩＤ）について、データトラフィックが前記少なくとも１つのセルラーキャリアに加えて前記ＷＬＡＮキャリア上で送信され得るかどうかを示すパラメータを備える、Ｃ２３に記載の方法。
［Ｃ２９］
前記マッピングが静的ポリシーを備える、Ｃ１に記載の方法。
［Ｃ３０］
前記マッピングが、前記複数のコンポーネントキャリアのうちの１つまたは複数のためのサービス品質（ＱｏＳ）インジケータに基づく、Ｃ１に記載の方法。
［Ｃ３１］
装置であって、
少なくとも１つのセルラーキャリアとワイヤレスローカルエリアネットワーク（ＷＬＡＮ）キャリアとを備える複数のコンポーネントキャリアをアグリゲートするための構成を受信するための手段、ここで、前記アグリゲーションは、インターネットプロトコル（ＩＰ）レイヤの下の前記装置の所与のプロトコルレイヤにおいて実行される、と、
前記所与のプロトコルレイヤにおいて、前記少なくとも１つのセルラーキャリアと前記ＷＬＡＮキャリアとに関してアップリンクトラフィックのマッピングを決定するための手段と、
前記マッピングに少なくとも部分的に基づいてアップリンク送信を送るための手段と、を備える、装置。
［Ｃ３２］
前記マッピングがトラフィックフロー識別子に基づく、Ｃ３１に記載の装置。
［Ｃ３３］
前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ３２に記載の装置。
［Ｃ３４］
前記アップリンク送信のためのデータに関連する前記ＬＣＩＤを決定するための手段と、
前記マッピングに基づいて、前記ＬＣＩＤに関連する１つまたは複数のトラフィック制限を決定するための手段と、
前記１つまたは複数のトラフィック制限に従って前記複数のコンポーネントキャリアからキャリアを選択するための手段と、
前記選択されたキャリア上で前記アップリンク送信において前記データを送るための手段と、をさらに備える、Ｃ３３に記載の装置。
［Ｃ３５］
前記アップリンク送信のためのデータに関連する前記ベアラ識別子を決定するための手段と、
前記マッピングに基づいて、前記ベアラ識別子に関連する１つまたは複数のトラフィック制限を決定するための手段と、
前記１つまたは複数のトラフィック制限に従って前記複数のコンポーネントキャリアからキャリアを選択するための手段と、
前記選択されたキャリア上で前記アップリンク送信において前記データを送るための手段と、をさらに備える、Ｃ３３に記載の装置。
［Ｃ３６］
前記モバイルデバイスによって受信されるダウンリンクトラフィックに基づいて前記複数のコンポーネントキャリアの各々とのトラフィックタイプの関連付けを決定するための手段をさらに備え、
アップリンクトラフィックの前記マッピングが、前記ダウンリンクトラフィックに基づいて決定されたトラフィックタイプの前記関連付けをミラーリングする、Ｃ３１に記載の装置。
［Ｃ３７］
第１のトラフィックタイプが前記少なくとも１つのセルラーキャリアに関連付けられ、第２のトラフィックタイプが前記ＷＬＡＮキャリアに関連付けられる、Ｃ３１に記載の装置。
［Ｃ３８］
前記所与のレイヤがメディアアクセス制御（ＭＡＣ）プロトコルレイヤを備え、前記関連付けと前記アップリンクトラフィックのタイプとに基づいて前記ＭＡＣプロトコルレイヤでキャリア選択を実行するための手段をさらに備える、Ｃ３７に記載の装置。
［Ｃ３９］
前記複数のコンポーネントキャリア中の第１のセルラーキャリア上のアップリンクリソースの割振りを示すアップリンク許可を受信するための手段と、
前記マッピングに基づいて前記第１のセルラーキャリア上の前記アップリンク送信のためのデータを識別するための手段と、
前記アップリンク許可に従って前記第１のセルラーキャリア上で前記データを送るための手段とをさらに備える、Ｃ３１に記載の装置。
［Ｃ４０］
アップリンク送信のためのデータの利用可能性を決定するための手段と、
前記マッピングに基づいて、前記データを送るための前記複数のコンポーネントキャリア中のキャリアを決定するための手段と、
前記データが前記ＷＬＡＮキャリアにマッピングすると決定したことに応答して、アップリンク許可なしに前記アップリンク送信において前記データを送るための手段とをさらに備える、Ｃ３１に記載の装置。
［Ｃ４１］
前記マッピングが、前記ＷＬＡＮキャリア上での送信からアップリンクトラフィックの所定のタイプを除外する、Ｃ３１に記載の装置。
［Ｃ４２］
前記メディアアクセス制御（ＭＡＣ）レイヤにおいて前記複数のコンポーネントキャリアのうちの所与の１つを選択するための手段と、前記マッピングに少なくとも部分的に基づいて前記アップリンクトラフィックを各キャリア上に多重化するための手段とをさらに備える、Ｃ３１に記載の装置。
［Ｃ４３］
前記マッピングがサービス品質（ＱｏＳ）情報に少なくとも部分的に基づき、選択するための前記手段と多重化するための前記手段とのうちの少なくとも１つが前記ＱｏＳ情報に少なくとも部分的に基づく、Ｃ４２に記載の装置。
［Ｃ４４］
前記アグリゲーションが前記メディアアクセス制御（ＭＡＣ）レイヤにおいて実行され、前記装置が、
前記マッピングに基づいてＭＡＣプロトコルデータユニット（ＰＤＵ）を形成するための手段と、
アップリンク許可またはＭＡＣ  ＰＤＵサイズに基づいて前記ＭＡＣ  ＰＤＵを送るための手段とをさらに備える、Ｃ３１に記載の装置。
［Ｃ４５］
前記マッピングは、前記アップリンクトラフィックが前記少なくとも１つのセルラーキャリアまたは前記ＷＬＡＮキャリアのいずれかを使用し得ることを示す、Ｃ３１に記載の装置。
［Ｃ４６］
前記アグリゲーションが前記メディアアクセス制御（ＭＡＣ）レイヤで実行され、前記装置が、
無線リンク制御（ＲＬＣ）レイヤにおいてプロトコルデータユニット（ＰＤＵ）を形成するための手段と、
前記少なくとも１つのセルラーキャリアまたは前記ＷＬＡＮキャリアを介して前記ＰＤＵをトランスポートするための手段と、をさらに備える、Ｃ４５に記載の装置。
［Ｃ４７］
前記複数のコンポーネントキャリア中の少なくとも１つのキャリアの非アクティブ化に応答して、前記マッピングを適用するのを中止するための手段をさらに備える、Ｃ３１に記載の装置。
［Ｃ４８］
前記複数のコンポーネントキャリアをアグリゲートするための前記構成に関連して、前記ＷＬＡＮキャリアのために前記ＩＰレイヤの上の動的ホスト構成プロトコル（ＤＨＣＰ）を無効にするための手段をさらに備える、Ｃ３１に記載の装置。
［Ｃ４９］
前記モバイルデバイスのセルラー無線モジュールのためのＩＰアドレスを決定するための手段と、前記モバイルデバイスのＷＬＡＮ無線モジュールに前記ＩＰアドレスを割り当てるための手段とをさらに備える、Ｃ４８に記載の装置。
［Ｃ５０］
少なくとも１つのネットワークエンティティに前記モバイルデバイスのセルラーＷＬＡＮキャリアアグリゲーション能力をシグナリングするための手段をさらに備える、Ｃ３１に記載の装置。
［Ｃ５１］
ＷＬＡＮアクセスポイント（ＡＰ）からビーコンまたはプローブ応答を受信するための手段をさらに備え、前記ビーコンまたはプローブ応答が、前記ＷＬＡＮ  ＡＰによるセルラーＷＬＡＮキャリアアグリゲーションのサポートを広告する、Ｃ３１に記載の装置。
［Ｃ５２］
セルラー基地局からセキュリティ証明を取得するための手段と、前記セキュリティ証明をＷＬＡＮアクセスポイント（ＡＰ）に与えるための手段とをさらに備える、Ｃ３１に記載の装置。
［Ｃ５３］
どのベアラがどのキャリア上で送られるかを示す動的シグナリングをネットワークエンティティから受信するための手段をさらに備える、Ｃ３１に記載の装置。
［Ｃ５４］
前記シグナリングが、複数の論理チャネル識別子（ＬＣＩＤ）中の各ＬＣＩＤについて、対応するアップリンクトラフィックために前記複数のコンポーネントキャリア中のどのキャリアを使用すべきかを示す、Ｃ５３に記載の装置。
［Ｃ５５］
前記指示がベアラごとおよび方向ごとである、Ｃ５４に記載の装置。
［Ｃ５６］
所与のＬＣＩＤが、ダウンリンクトラフィックのために前記ＷＬＡＮキャリアにマッピングし、前記アップリンクトラフィックのために前記少なくとも１つのセルラーキャリアにマッピングする、Ｃ５５に記載の装置。
［Ｃ５７］
前記シグナリングは、パケットサイズしきい値と、デフォルトキャリアと、前記パケットサイズが前記しきい値を超えることに応答してどのキャリアを使用すべきかとを示す、Ｃ５３に記載の装置。
［Ｃ５８］
前記シグナリングは、各論理チャネル識別子（ＬＣＩＤ）について、データトラフィックが前記少なくとも１つのセルラーキャリアに加えて前記ＷＬＡＮキャリア上で送信され得るかどうかを示すパラメータを備える、Ｃ５３に記載の装置。
［Ｃ５９］
前記マッピングが静的ポリシーを備える、Ｃ３１に記載の装置。
［Ｃ６０］
前記マッピングが、前記複数のコンポーネントキャリアのうちの１つまたは複数のためのサービス品質（ＱｏＳ）インジケータに基づく、Ｃ３１に記載の装置。
［Ｃ６１］
装置であって、
少なくとも１つのセルラーキャリアとワイヤレスローカルエリアネットワーク（ＷＬＡＮ）キャリアとを備える複数のコンポーネントキャリアをアグリゲートするための構成を受信するように構成された少なくとも１つの無線周波数（ＲＦ）トランシーバ、ここで、前記アグリゲーションは、インターネットプロトコル（ＩＰ）レイヤの下の前記装置の所与のプロトコルレイヤにおいて実行される、と、
前記所与のプロトコルレイヤにおいて、前記少なくとも１つのセルラーキャリアと前記ＷＬＡＮキャリアとに関してアップリンクトラフィックのマッピングを決定することと、前記マッピングに少なくとも部分的に基づいてアップリンク送信を送るように前記ＲＦトランシーバに命令することとを行うように構成された少なくとも１つのプロセッサと、
前記少なくとも１つのプロセッサに結合された、データを記憶するためのメモリと、を備える、装置。
［Ｃ６２］
前記マッピングがトラフィックフロー識別子に基づく、Ｃ６１に記載の装置。
［Ｃ６３］
前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ６２に記載の装置。
［Ｃ６４］
前記少なくとも１つのプロセッサが、前記モバイルデバイスによって受信されるダウンリンクトラフィックに基づいて前記複数のコンポーネントキャリアの各々とのトラフィックタイプの関連付けを決定するようにさらに構成され、
アップリンクトラフィックの前記マッピングが、前記ダウンリンクトラフィックに基づいて決定されたトラフィックタイプの前記関連付けをミラーリングする、Ｃ６１に記載の装置。
［Ｃ６５］
少なくとも１つのセルラーキャリアとワイヤレスローカルエリアネットワーク（ＷＬＡＮ）キャリアとを備える複数のコンポーネントキャリアをアグリゲートするための構成を受信すること、ここで、前記アグリゲーションは、インターネットプロトコル（ＩＰ）レイヤの下の装置の所与のプロトコルレイヤにおいて実行される、と、
前記所与のプロトコルレイヤにおいて、前記少なくとも１つのセルラーキャリアと前記ＷＬＡＮキャリアとに関してアップリンクトラフィックのマッピングを決定することと、
前記マッピングに少なくとも部分的に基づいてアップリンク送信を送ることと、
をコンピュータに行わせるためのコードを備える非一時的なコンピュータ可読の媒体を備える、コンピュータプログラム製品。
［Ｃ６６］
前記マッピングがトラフィックフロー識別子に基づき、前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ６５に記載のコンピュータプログラム製品。
［Ｃ６７］
前記非一時的なコンピュータ可読の媒体が、前記モバイルデバイスによって受信されるダウンリンクトラフィックに基づいて前記複数のコンポーネントキャリアの各々とのトラフィックタイプの関連付けを決定することを前記コンピュータに行わせるためのコードをさらに備え、
アップリンクトラフィックの前記マッピングが、前記ダウンリンクトラフィックに基づいて決定されたトラフィックタイプの前記関連付けをミラーリングする、Ｃ６５に記載のコンピュータプログラム製品。
［Ｃ６８］
少なくとも１つのセルラーキャリアと少なくとも１つのワイヤレスローカルエリアネットワーク（ＷＬＡＮ）キャリアとを備える複数のコンポーネントキャリアをアグリゲートするための構成をモバイルデバイスに送ること、ここで、前記アグリゲーションは、インターネットプロトコル（ＩＰ）レイヤの下の前記モバイルデバイスのレイヤにおいて実行される、と、
前記少なくとも１つのセルラーキャリアと前記少なくとも１つのＷＬＡＮキャリアとに関してアップリンクトラフィックのマッピングを決定することと、
前記マッピングに少なくとも部分的に基づいて前記アップリンクトラフィックを受信することと、を備える、ネットワークエンティティによって動作可能な方法。
［Ｃ６９］
前記マッピングがトラフィックフロー識別子に基づく、Ｃ６８に記載の方法。
［Ｃ７０］
前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ６９に記載の方法。
［Ｃ７１］
前記アップリンク送信のためのデータに関連する前記ＬＣＩＤを決定することと、
前記マッピングに基づいて、前記ＬＣＩＤに関連する１つまたは複数のトラフィック制限を決定することと、
前記１つまたは複数のトラフィック制限に従って前記複数のコンポーネントキャリアからキャリアを選択することと、
前記選択されたキャリア上で前記アップリンク送信において前記データを受信することと、をさらに備える、Ｃ７０に記載の方法。
［Ｃ７２］
前記アップリンク送信のためのデータに関連する前記ベアラ識別子を決定することと、
前記マッピングに基づいて、前記ベアラ識別子に関連する１つまたは複数のトラフィック制限を決定することと、
前記１つまたは複数のトラフィック制限に従って前記複数のコンポーネントキャリアからキャリアを選択することと、
前記選択されたキャリア上で前記アップリンク送信において前記データを受信することと、をさらに備える、Ｃ７０に記載の方法。
［Ｃ７３］
少なくとも１つのセルラーキャリアと少なくとも１つのワイヤレスローカルエリアネットワーク（ＷＬＡＮ）キャリアとを備える複数のコンポーネントキャリアをアグリゲートするための構成をモバイルデバイスに送るための手段、ここで、前記アグリゲーションは、インターネットプロトコル（ＩＰ）レイヤの下の前記モバイルデバイスのレイヤにおいて実行される、と、
前記少なくとも１つのセルラーキャリアと前記少なくとも１つのＷＬＡＮキャリアとに関してアップリンクトラフィックのマッピングを決定するための手段と、
前記マッピングに少なくとも部分的に基づいて前記アップリンクトラフィックを受信するための手段と、を備える、装置。
［Ｃ７４］
前記マッピングがトラフィックフロー識別子に基づく、Ｃ７３に記載の装置。
［Ｃ７５］
前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ７４に記載の装置。
［Ｃ７６］
前記アップリンク送信のためのデータに関連する前記ＬＣＩＤを決定するための手段と、
前記マッピングに基づいて、前記ＬＣＩＤに関連する１つまたは複数のトラフィック制限を決定するための手段と、
前記１つまたは複数のトラフィック制限に従って前記複数のコンポーネントキャリアからキャリアを選択するための手段と、
前記選択されたキャリア上で前記アップリンク送信において前記データを受信するための手段と、をさらに備える、Ｃ７５に記載の装置。
［Ｃ７７］
前記アップリンク送信のためのデータに関連する前記ベアラ識別子を決定するための手段と、
前記マッピングに基づいて、前記ベアラ識別子に関連する１つまたは複数のトラフィック制限を決定するための手段と、
前記１つまたは複数のトラフィック制限に従って前記複数のコンポーネントキャリアからキャリアを選択するための手段と、
前記選択されたキャリア上で前記アップリンク送信において前記データを受信するための手段と、をさらに備える、Ｃ７５に記載の装置。
［Ｃ７８］
少なくとも１つのセルラーキャリアと少なくとも１つのワイヤレスローカルエリアネットワーク（ＷＬＡＮ）キャリアとを備える複数のコンポーネントキャリアをアグリゲートするための構成をモバイルデバイスに送るように構成された少なくとも１つの無線周波数（ＲＦ）トランシーバ、ここで、前記アグリゲーションは、インターネットプロトコル（ＩＰ）レイヤの下の前記モバイルデバイスのレイヤにおいて実行される、と、
前記少なくとも１つのセルラーキャリアと前記少なくとも１つのＷＬＡＮキャリアとに関してアップリンクトラフィックのマッピングを決定するように構成された少なくとも１つのプロセッサと、
前記少なくとも１つのプロセッサに結合された、データを記憶するためのメモリと、を備え、
前記少なくとも１つのＲＦトランシーバが、前記マッピングに少なくとも部分的に基づいて前記アップリンクトラフィックを受信する、装置。
［Ｃ７９］
前記マッピングがトラフィックフロー識別子に基づき、前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ７８に記載の装置。
［Ｃ８０］
前記少なくとも１つのプロセッサが、
前記アップリンク送信のためのデータに関連する前記ＬＣＩＤを決定することと、
前記マッピングに基づいて、前記ＬＣＩＤに関連する１つまたは複数のトラフィック制限を決定することと、
前記１つまたは複数のトラフィック制限に従って前記複数のコンポーネントキャリアからキャリアを選択することとを行うようにさらに構成された、Ｃ７９に記載の装置。
［Ｃ８１］
前記少なくとも１つのプロセッサが、
前記アップリンク送信のためのデータに関連する前記ベアラ識別子を決定することと、
前記マッピングに基づいて、前記ベアラ識別子に関連する１つまたは複数のトラフィック制限を決定することと、
前記１つまたは複数のトラフィック制限に従って前記複数のコンポーネントキャリアからキャリアを選択することとを行うようにさらに構成された、Ｃ７９に記載の装置。
［Ｃ８２］
少なくとも１つのセルラーキャリアと少なくとも１つのワイヤレスローカルエリアネットワーク（ＷＬＡＮ）キャリアとを備える複数のコンポーネントキャリアをアグリゲートするための構成をモバイルデバイスに送ること、ここで、前記アグリゲーションは、インターネットプロトコル（ＩＰ）レイヤの下の前記モバイルデバイスのレイヤにおいて実行される、と、
前記少なくとも１つのセルラーキャリアと前記少なくとも１つのＷＬＡＮキャリアとに関してアップリンクトラフィックのマッピングを決定することと、
前記マッピングに少なくとも部分的に基づいて前記アップリンクトラフィックを受信することと
をコンピュータに行わせるためのコードを備える非一時的なコンピュータ可読の媒体を備える、コンピュータプログラム製品。
［Ｃ８３］
前記マッピングがトラフィックフロー識別子に基づき、前記トラフィックフロー識別子は、
前記所与のプロトコルレイヤがメディアアクセス制御（ＭＡＣ）プロトコルレイヤを備えることに応答して、論理チャネル識別子（ＬＣＩＤ）を、または、
前記所与のプロトコルレイヤが前記ＭＡＣプロトコルレイヤの上にあることに応答して、ベアラ識別子を、備える、Ｃ８２に記載のコンピュータプログラム製品。